(57)【要約】 【課題】セラミック製の鏡枠を用いた場合の光学性能の劣化を防止することができる構造を持つレンズ組立体、そのレンズ組立体の組立方法を提供する。【解決手段】セラミック製の鏡胴１０内に複数の光学部材Ｌ１〜Ｌ４、ＳＰ１〜ＳＰ３を装入する（Ｓ３０１）。次にセラミック製の鏡胴１０の雌ネジＳＲ１と押え環１１の雄ネジＳＲ２とのうちのいずれか一方に接着剤を塗布する（Ｓ３０２）。そして押え環１１を鏡胴１０にねじ込む（Ｓ３０３）。接着剤が硬化したら組立を終了する。【選択図】    図３
2010085720.tif 000002
【特許請求の範囲】
【請求項１】
対物側開口と結像側開口とを有するともに対物側外周に雄ネジが形成され、該対物側開口から複数の光学部材が光軸を揃えて装入されるセラミック製の鏡胴と、
前記鏡胴内に装入された複数の光学部材と、
前記鏡胴の対物側の部分が入り込む装着開口と、前記鏡胴内に装入された複数の光学部材のうちの最も対物側に装入された第１の光学部材中央部を露出させる光学開口とを有し、前記装着開口内側の内壁に、前記雄ネジと螺合する雌ネジが形成され、該雄ネジと該雌ネジとの螺合により該第１の光学部材の対物側の面の周縁部を押える押え環とを備え、
前記雄ネジと前記雌ネジとの螺合部分に接着剤が硬化されてなることを特徴とするレンズ組立体。
【請求項２】
前記押え環が、前記装着開口内側の内壁に、外壁にまで貫通し前記螺合部分への接着剤の注入を受ける注入口を有することを特徴とする請求項１記載のレンズ組立体。
【請求項３】
対物側開口と結像側開口とを有するともに対物側外周に雄ネジが形成され、該対物側開口から複数の光学部材が光軸を揃えて装入されるセラミック製の鏡胴と、
前記鏡胴内に装入された複数の光学部材と、
前記鏡胴の対物側の部分が入り込む装着開口と、前記鏡胴内に装入された複数の光学部材のうちの最も対物側に装入された第１の光学部材中央部を露出させる光学開口とを有し、前記装着開口内側の内壁に、前記雄ネジと螺合する雌ネジが形成され、該雄ネジと該雌ネジとの螺合により該第１の光学部材の対物側の面の周縁部を押える押え環とを備え、
前記押え環の、前記装着開口入口の結像側端面と、前記鏡胴外壁の、前記押え環に覆われた部分に隣接する部分との間を封止する接着剤が硬化されてなることを特徴とするレンズ組立体。
【請求項４】
前記鏡胴が、多孔質セラミック製であることを特徴とする請求項１から３記載のレンズ組立体。
【請求項５】
対物側開口と結像側開口とを有するともに対物側外周に雄ネジが形成され、該対物側開口から複数の光学部材が光軸を揃えて装入されるセラミック製の鏡胴と、
前記鏡胴内に装入された複数の光学部材と、
前記鏡胴の対物側の部分が入り込む装着開口と、前記鏡胴内に装入された複数の光学部材のうちの最も対物側に装入された第１の光学部材中央部を露出させる光学開口とを有し、前記装着開口内側の内壁に、前記雄ネジと螺合する雌ネジが形成され、該雄ネジと該雌ネジとの螺合により該第１の光学部材の対物側の面の周縁部を押える押え環とを備えたレンズ組立体の組立方法であって、
前記複数の光学部材を前記鏡胴内に装入する光学部材装入ステップと、
前記雄ネジと前記雌ネジとのうちの少なくとも一方に接着剤を塗布する接着剤塗布ステップと、
前記雄ネジと前記雌ネジとを螺合させて前記第１光学部材を前記押え環で押える押え環装着ステップとを有することを特徴とする組立方法。
【請求項６】
対物側開口と結像側開口とを有するともに対物側外周に雄ネジが形成され、該対物側開口から複数の光学部材が光軸を揃えて装入されるセラミック製の鏡胴と、
前記鏡胴内に装入された複数の光学部材と、
前記鏡胴の対物側の部分が入り込む装着開口と、前記鏡胴内に装入された複数の光学部材のうちの最も対物側に装入された第１の光学部材中央部を露出させる光学開口とを有し、さらに、前記装着開口内側の内壁に、前記雄ネジと螺合する雌ネジが形成されるとともに内壁に、外壁にまで貫通した、接着剤の注入を受ける注入口を有し、該雄ネジと該雌ネジとの螺合により該第１の光学部材の対物側の面の周縁部を押える押え環とを備えたレンズ組立体の組立方法であって、
前記複数の光学部材を前記鏡胴内に装入する光学部材装入ステップと、
前記雄ネジと前記雌ネジとを螺合させて前記第１の光学部材を前記押え環で押える押え環装着ステップと、
前記注入口から接着剤を注入する接着剤注入ステップとを有することを特徴とする組立方法。
【請求項７】
対物側開口と結像側開口とを有するともに対物側外周に雄ネジが形成され、該対物側開口から複数の光学部材が光軸を揃えて装入されるセラミック製の鏡胴と、
前記鏡胴内に装入された複数の光学部材と、
前記鏡胴の対物側の部分が入り込む装着開口と、前記鏡胴内に装入された複数の光学部材のうちの最も対物側に装入された第１の光学部材中央部を露出させる光学開口とを有し、前記装着開口内側の内壁に、前記雄ネジと螺合する雌ネジが形成され、該雄ネジと該雌ネジとの螺合により該第１の光学部材の対物側の面の周縁部を押える押え環とを備えたレンズ組立体の組立方法であって、
前記複数の光学部材を前記鏡胴内に装入する光学部材装入ステップと、
前記雄ネジと前記雌ネジとを螺合させて前記第１光学部材を前記押え環で押える押え環装着ステップと、
前記押え環の、前記装着開口入口の結像側端面と、前記鏡胴外壁とに跨る部分に、接着剤を塗布する接着剤塗布ステップとを有することを特徴とする組立方法。
【発明の詳細な説明】
【技術分野】
【０００１】
本発明は、車載用のカメラに用いられるレンズ組立体、およびそのレンズ組立体の組立方法に関する。
【背景技術】
【０００２】
最近、自動車にカメラが配備されるようになってきている。自動車に配備されるカメラの多くは、ナビゲーションシステムが普及し運転席に表示画面が設けられていることを利用して、ドライバの死角になる場所の状態をその表示画面上に表示するものである。
【０００３】
ところで、自動車は夏の炎天下や冬の厳寒屋外に野晒しにされることもあり、車載用のカメラはそのような極めて広範な温度環境下で正常に動作する必要がある。この正常動作を保証するために車載用のカメラに適用されるレンズ組立体に要求される性能としては、軽量性や頑強性などの一般的な性質のほか、温度変化に起因するピンボケを生じさせないために温度による伸縮が少ないことなどが挙げられる。これらの要求を満足するために、セラミック製の鏡胴が考えられている（例えば特許文献１、２参照）。また、本出願人は、多孔質セラミックを光学部品に適用することを提案している（例えば特許文献３参照）。この特許文献３の明細書で言う、多孔質とは、気孔率１０％以上である多孔体である。
【０００４】
ここで特許文献４には、例えば、レンズ鏡胴の前側開口より、レンズ、間隔環を挿入し、押え環をレンズ鏡胴の前側にねじ込むことによって、レンズ鏡胴にレンズを固定したレンズ組立体を構成することが記載されている。その特許文献４の構成にセラミックの鏡胴を適用した場合の構成を説明する。
【０００５】
図１は、セラミック製の鏡胴を備えたレンズ組立体の構成例を示す図である。
【０００６】
まず図１を参照してレンズ組立体の構成を簡単に説明する。
【０００７】
図１のレンズ組立体１にはセラミック製の鏡胴１０が備えられており、その鏡胴１０には対物側開口１０１と結像側開口１０２とを有する中空部１００が設けられている。この鏡胴１０の対物側外周には雄ネジＳＲ１が形成され、その対物側開口１０１から複数のレンズＬ１〜Ｌ４と複数の間隔環ＳＰ１〜ＳＰ３とが光軸を揃えて装入される。この例では、複数の光学部材として複数のレンズＬ１〜Ｌ４と複数の間隔環ＳＰ１〜ＳＰ３とが交互に配置されるようにして鏡胴１０の中空部１００に順次に装入される。
【０００８】
更に図１のレンズ組立体１には、鏡胴１０の中空部１００の内部に装入された複数のレンズＬ１〜Ｌ４および複数の間隔環ＳＰ１〜ＳＰ３を、対物側開口１０１から押さえ込んで固定するための押さえ環１１が備えられている。この押さえ環１１は、鏡胴１０の対物側の部分が入り込む装着開口１１０と、鏡胴内に装入された複数の光学部材のうちの最も対物側に装入されたレンズＬ１の中央部を露出させる光学開口１１１とを有し、装着開口内側の内壁に、上記雄ネジＳＲ１と螺合する雌ネジＳＲ２が形成され、その雄ネジＳＲ１とその雌ネジＳＲ２との螺合により最も対物側に位置するレンズＬ１の対物側の面の周縁部を押えるものである。
【０００９】
この押え環１１によって鏡胴１０内の複数のレンズＬ１〜Ｌ４および複数の間隔環ＳＰ１〜ＳＰ３が結像側開口側に向かって押さえ込まれることにより図１のレンズ組立体１が組み立てられている。
【００１０】
ここで、図１に示す鏡胴１０の材質がセラミックであると、鏡胴１０に押え環１１のネジＳＲ２と螺合するネジＳＲ１を設けて押え環１１と鏡胴１０とを螺合させているときに押え環１１と鏡胴１０との摺擦により鏡胴側のネジ部のセラミック表面が削り取られてセラミックの粉塵が発生するという問題がある。この粉塵は、組立時に掃除することができれば問題ないが、押え環１１を鏡胴１０に螺合させた状態の後においてはその粉塵を掃除して取り去ることができないためにネジＳＲ１とネジＳＲ２との間に留め置かれることになってしまう。
【００１１】
このため、図１のレンズ組立体を備えたカメラを自動車に搭載した後になってネジＳＲ１とネジＳＲ２との間に留め置かれていた粉塵が振動等によりネジＳＲ１とネジＳＲ２との間の僅かな隙間を通ってレンズ側に導かれてレンズに付着してしまう恐れがある。もしセラミックから削り取られた粉塵がレンズに付着すると光学性能が劣化してしまうことになる。
【特許文献１】特開２００６−２８４９９１号公報
【特許文献２】特開２００６−２９２９２７号公報
【特許文献３】特開２００７−２３８４３０号公報
【特許文献４】特開２００７−２７９５７７号公報
【発明の開示】
【発明が解決しようとする課題】
【００１２】
本発明は、上記事情に鑑み、セラミック製の鏡胴が用いられた場合の光学性能の劣化を防止することができる構造を持つレンズ組立体、そのレンズ組立体の組立方法を提供することを目的とする。
【課題を解決するための手段】
【００１３】
上記目的を達成する本発明の第１のレンズ組立体は、
対物側開口と結像側開口とを有するともに対物側外周に雄ネジが形成され、該対物側開口から複数の光学部材が光軸を揃えて装入されるセラミック製の鏡胴と、
上記鏡胴内に装入された複数の光学部材と、
上記鏡胴の対物側の部分が入り込む装着開口と、上記鏡胴内に装入された複数の光学部材のうちの最も対物側に装入された第１の光学部材中央部を露出させる光学開口とを有し、上記装着開口内側の内壁に、上記雄ネジと螺合する雌ネジが形成され、その雄ネジとその雌ネジとの螺合によりその第１の光学部材の対物側の面の周縁部を押える押え環とを備え、
上記雄ネジと上記雌ネジとの螺合部分に接着剤が硬化されてなることを特徴とする。
【００１４】
上記本発明のレンズ組立体によれば、押え環の雌ネジを鏡胴の雄ネジに螺合させた後で予め塗布された接着剤の硬化により粉塵が螺合部に封止される。このためこのレンズ組立体が搭載されたカメラが自動車に搭載されたときには螺合部内に留め置かれていた粉塵がレンズ側に導かれてレンズに付着することが防止される。また、従来の組立に加えて押え環をねじ込む前に接着剤を塗布するという簡単な工程を付加するだけで済むので、製造原価を高騰させる懸念もない。
【００１５】
ここで、上記接着剤は、常温で硬化するシリコン系接着剤や、紫外線硬化や熱硬化するエポキシ系接着剤であることが好ましい。これらの接着剤のうちのいずれかを使用すると、押え環と鏡胴とを螺合させた後、接着剤を好適に硬化させることができる。
【００１６】
また上記押え環が、上記装着開口内側の内壁に、外壁にまで貫通し上記螺合部分への接着剤の注入を受ける注入口を有する態様であっても良い。
【００１７】
この注入口より螺合部分に注入される接着剤は、低粘度接着剤であって、その粘性が１００００ｍＰａ・ｓ以下であることが好ましく、また５０００ｍＰａ・ｓ以下であることがより望ましい。
【００１８】
上記粘性を持つと、上記螺合部に潤滑的に浸透した後に接着剤が硬化して好適な効果が得られる。
【００１９】
ここで上記粘性を持つ接着剤として常温で硬化するシリコン系接着剤や紫外線硬化や熱硬化するエポキシ系接着剤や瞬間接着剤等の使用が考えられる。
【００２０】
また、上記目的を達成する本発明の第２のレンズ組立体は、対物側開口と結像側開口とを有するともに対物側外周に雄ネジが形成され、その対物側開口から複数の光学部材が光軸を揃えて装入されるセラミック製の鏡胴と、
上記鏡胴内に装入された複数の光学部材と、
上記鏡胴の対物側の部分が入り込む装着開口と、上記鏡胴内に装入された複数の光学部材のうちの最も対物側に装入された第１の光学部材中央部を露出させる光学開口とを有し、上記装着開口内側の内壁に、上記雄ネジと螺合する雌ネジが形成され、雄ネジと雌ネジとの螺合により第１の光学部材の対物側の面の周縁部を押える押え環とを備え、
上記押え環の、上記装着開口入口の結像側端面と、上記鏡胴外壁の、上記押え環に覆われた部分に隣接する部分との間を封止する接着剤が硬化されてなることを特徴とする。
【００２１】
上記本発明の第２のレンズ組立体によれば、上記押え環の、上記装着開口を形成する結像側端面と、上記鏡胴外壁の、上記押え環に覆われた部分に隣接する部分との間に接着剤が塗布され塗布された接着剤の硬化によりセラミックの粉塵が螺合部分に閉じ込められる。
【００２２】
このときには、上記と同様に接着剤に低粘度のものを使用すると、その部分から上記押え環の雄ネジと鏡胴の雌ネジとの間の螺合部分に接着剤が浸透するため、セラミックの粉塵が螺合部分に好適に封止される。その低粘度の粘性を持つ接着剤としては、常温で硬化するシリコン系接着剤や紫外線硬化や熱硬化するエポキシ系接着剤や瞬間接着剤等を使用することが考えられる。
【００２３】
ここで、上記鏡胴が、多孔質セラミック製であることが好ましい。
【００２４】
多孔質とは、気孔率１０％以上である多孔体である。
【００２５】
多孔質セラミックであっても、上記の接着剤を用いると相応の効果が発揮される。
【００２６】
また、上記目的を達成する本発明の第１の組立方法は、
対物側開口と結像側開口とを有するともに対物側外周に雄ネジが形成され、該対物側開口から複数の光学部材が光軸を揃えて装入されるセラミック製の鏡胴と、
上記鏡胴内に装入された複数の光学部材と、
上記鏡胴の対物側の部分が入り込む装着開口と、上記鏡胴内に装入された複数の光学部材のうちの最も対物側に装入された第１の光学部材中央部を露出させる光学開口とを有し、上記装着開口内側の内壁に、上記雄ネジと螺合する雌ネジが形成され、該雄ネジと該雌ネジとの螺合により該第１の光学部材の対物側の面の周縁部を押える押え環とを備えたレンズ組立体の組立方法であって、
上記複数の光学部材を上記鏡胴内に装入する光学部材装入ステップと、
上記雄ネジと上記雌ネジとのうちの少なくとも一方に接着剤を塗布する接着剤塗布ステップと、
上記雄ネジと上記雌ネジとを螺合させて上記第１の光学部材を上記押え環で押える押え環装着ステップとを有することを特徴とする。
【００２７】
上記本発明の第１の組立方法によれば、今までの組立工程に接着剤塗布ステップを追加してセラミックの粉塵を接着剤によって上記螺合部分に閉じ込めて固定するという構成にすることで、このレンズ組立体が車載用のカメラに用いられた場合に起こり得るセラミックの粉塵による光学性能の劣化を防止することができるようになる。
【００２８】
上記接着剤塗布ステップの作業は、簡単であって、熟練を要する訳でも時間を要する訳でもないので製造コストをさほど増大させることがない。
【００２９】
また、上記目的を達成する本発明の第２の組立て方法は、
対物側開口と結像側開口とを有するともに対物側外周に雄ネジが形成され、該対物側開口から複数の光学部材が光軸を揃えて装入されるセラミック製の鏡胴と、
上記鏡胴内に装入された複数の光学部材と、
上記鏡胴の対物側の部分が入り込む装着開口と、上記鏡胴内に装入された複数の光学部材のうちの最も対物側に装入された第１の光学部材中央部を露出させる光学開口とを有し、さらに、上記装着開口内側の内壁に、上記雄ネジと螺合する雌ネジが形成されるとともに内壁に、外壁にまで貫通した、接着剤の注入を受ける注入口を有し、雄ネジと雌ネジとの螺合により第１の光学部材の対物側の面の周縁部を押える押え環とを備えたレンズ組立体の組立方法であって、
上記複数の光学部材を上記鏡胴内に装入する光学部材装入ステップと、
上記雄ネジと上記雌ネジとを螺合させて上記第１の光学部材を上記押え環で押える押え環装着ステップと、
上記注入口から接着剤を注入する接着剤注入ステップとを有することを特徴とする。
【００３０】
上記本発明の第２の組立て方法によれば、上記押え環に上記注入口を設けてその注入口から接着剤を注入して螺合部に浸透させるという接着剤注入ステップを組立の最後に追加することで、セラミックの粉塵を螺合部内に閉じ込めて固定することができる。
【００３１】
このため、このレンズ組立体が車載用のカメラに用いられた場合に起こり得るセラミックの粉塵による光学性能の劣化を防止することができるようになる。
【００３２】
押え環を成型品で形成した場合は、上記注入口は成型時に同時に形成され、その注入口から接着剤を注入するという作業も簡単であるために製造コストをさほど増大させるということがない。
【００３３】
ただし、押え環の材質が金属である場合には注入口を切削加工で製作することになるが、注入口を切削加工で開ける作業は比較的容易である。
【００３４】
さらに、上記目的を達成する本発明の第３組立方法は、
対物側開口と結像側開口とを有するともに対物側外周に雄ネジが形成され、該対物側開口から複数の光学部材が光軸を揃えて装入されるセラミック製の鏡胴と、
上記鏡胴内に装入された複数の光学部材と、
上記鏡胴の対物側の部分が入り込む装着開口と、上記鏡胴内に装入された複数の光学部材のうちの最も対物側に装入された第１の光学部材中央部を露出させる光学開口とを有し、上記装着開口内側の内壁に、上記雄ネジと螺合する雌ネジが形成され、該雄ネジと該雌ネジとの螺合により該第１の光学部材の対物側の面の周縁部を押える押え環とを備えたレンズ組立体の組立方法であって、
上記複数の光学部材を上記鏡胴内に装入する光学部材装入ステップと、
上記雄ネジと上記雌ネジとを螺合させて上記第１光学部材を上記押え環で押える押え環装着ステップと、
上記押え環の、上記装着開口入口の結像側端面と、上記鏡胴外壁とに跨る部分に接着剤を塗布する接着剤塗布ステップとを有することを特徴とする。
【００３５】
上記本発明の第３の組立方法によれば、今までの組立工程に接着剤塗布ステップを追加してその接着剤によって上記螺合部分にセラミックの粉塵を閉じ込めて固定するという構成にすることで、このレンズ組立体が車載用のカメラに用いられた場合に起こり得るセラミックの粉塵による光学性能の劣化を防止することができる。
【００３６】
上記接着剤塗布ステップの作業は、簡単であって、熟練を要する訳でも時間を要する訳でもないので製造コストをさほど増大させることがない。
【発明の効果】
【００３７】
以上、説明したように、セラミック性の鏡胴が用いられた場合の光学性能の劣化を防止することができる構造を持つレンズ組立体、そのレンズ組立体の組立方法が実現する。
【発明を実施するための最良の形態】
【００３８】
以下、本発明の実施の形態について説明する。
【００３９】
図２は、本実施形態のレンズ組立体の構成を示す図である。
【００４０】
図２のレンズ組立体１Ａの構成は、押え環１１の雌ネジＳＲ２と鏡胴の雄ネジＳＲ１との間の螺合部（符号Ａで示す部分）に組立時に予め接着剤が塗布され塗布された接着剤が硬化した状態になっている以外は、図１の構成と同じである。
【００４１】
図２の符号で示す部分Ａに、押え環１１をねじ込む前に接着剤を塗布しておいてから押え環１１を鏡胴１０にねじ込んでいる。つまり、鏡胴１０の雄ネジＳＲ１と押え環の雌ネジＳＲ２のうちのいずれか一方に接着剤を塗布しておいてから、押え環１１を鏡胴１０にねじ込んでいるのである。
【００４２】
こうすると、押え環の雌ネジＳＲ２と鏡胴の雄ネジＳＲ１にねじ込むときの摺擦により鏡胴のセラミックの表面が削り取られて粉塵が発生したときにその粉塵が螺合部の接着剤に付着した状態でその接着剤が硬化することになるので、本実施形態のレンズ組立体１Ａが車載用のカメラに用いられたときにはセラミックの粉塵がレンズ側２導かれて付着することが防止される。
【００４３】
なお、上記実施形態の押え環の材質は、アルミニウム等の金属であっても良く、またセラミックであっても良い。
【００４４】
ここで、上記接着剤は、常温で硬化するシリコン系接着剤や、紫外線硬化や熱硬化するエポキシ系接着剤であることが好ましい。それらの接着剤のうちのいずれかを使用すると、押え環と鏡胴とを螺合させた後、接着剤を好適に硬化させることができる。
【００４５】
図３は、図２のレンズ組立体の組立方法を説明する工程図である。
【００４６】
まず、装入ステップＳ３０１で複数のレンズＬ１〜Ｌ４および間隔環ＳＰ１〜ＳＰ３を鏡胴１０内に装入する。次の接着剤塗布ステップＳ３０２で雄ネジＳＲ１と雌ネジＳＲ２とのうちの少なくとも一方に接着剤を塗布する。そして押え環装着ステップＳ３０３で雄ネジＳＲ１と雌ネジＳＲ２とを螺合させて最も対物側に位置するレンズＬ１を押え環で押えた後、その接着剤を硬化させる。
【００４７】
このように上記接着剤塗布ステップＳ３０２で接着剤を塗布するという簡単な作業を行なって、セラミックの粉塵をその接着剤の硬化により螺合部に閉じ込めることができるで、車載用のカメラにこのレンズ組立体が用いられたときの光学性能の劣化を防止することができるようになる。
【００４８】
この組立方法における接着剤塗布ステップＳ３０２の作業は、簡単であって熟練を要する訳でも時間を要する訳でもないので製造コストをさほど増大させることがない。
【００４９】
以上説明した様に、セラミック製の鏡胴が用いられた場合の光学性能の劣化を防止することができる構造を持つレンズ組立体、そのレンズ組立体の組立方法が実現する。
【００５０】
図４は、第２実施形態を説明する図である。
【００５１】
図４には、レンズ組立体１Ｂを斜め上方から見た斜視図が示されている。
【００５２】
押え環１１Ｂに注入口１１２を設けた以外は、図１の構成と同じである。
【００５３】
図４に示す押え環１１が、鏡胴１０の対物側の部分が入り込む装着開口１１０と、鏡胴内に装入された複数の光学部材のうちの最も対物側に装入された第１の光学部材中央部を露出させる光学開口１１１とを有し、さらに、装着開口内側の内壁に、図１に示す雄ネジＳＲ１と螺合する雌ネジＳＲ２が形成されるとともに内壁に、外壁にまで貫通した、接着剤の注入を受ける注入口１１２を有し、雄ネジと雌ネジとの螺合により第１の光学部材Ｌ１の対物側の面の周縁部を押えるものである。
【００５４】
この注入口１１２から組立終了後に接着剤を注入して螺合部に接着剤を浸透させている。このときの接着剤には、低粘度のものを使用することが好ましく、その低粘度の接着剤として常温で硬化するシリコン系接着剤や紫外線硬化や熱硬化するエポキシ系接着剤や瞬間接着剤等を使用することが考えられる。また上記注入口１１２より上記螺合部分に注入される接着剤は、その粘性が１００００ｍＰａ・ｓ以下であることが好ましく、また５０００ｍＰａ・ｓ以下であることがより望ましい。
【００５５】
図５は、図４のレンズ組立体の組立方法を説明する図である。
【００５６】
まず最初の光学部材装入ステップＳ５０１で、複数のレンズＬ１〜Ｌ４および複数の間隔環ＳＰ１〜ＳＰ３を鏡胴１０内に装入する。次の押え環装着ステップＳ５０２で、雄ネジＳＲ１と雌ネジＳＲ２とを螺合させて本発明にいう第１のレンズＬ１を押え環１１で押える。最後に、接着剤注入ステップＳ５０３で、注入口１１２から接着剤を注入して組立を完了する。
【００５７】
このように押え環１１に注入口１１２を設けて、接着剤塗布ステップＳ５０３で接着剤を注入するという簡単な作業を最後に行なってその接着剤の硬化によりセラミックの粉塵を螺合部に閉じ込めて固定することで、車載用のカメラにこのレンズ組立体が用いられたときの光学性能の劣化を防止することができるようになる。
【００５８】
この組立方法における接着剤注入ステップＳ５０３の作業は、簡単であって熟練を要する訳でも時間を要する訳でもないので製造コストをさほど増大させることがない。
【００５９】
以上説明した様に、セラミック製の鏡胴が用いられた場合の光学性能の劣化を防止することができる構造を持つレンズ組立体、そのレンズ組立体の組立方法が実現する。
【００６０】
図６は、第３実施形態を説明する図である。
【００６１】
図６に示すレンズ組立体１Ｃの構成は、押え環１１の、装着開口を形成する結像側端面と、鏡胴外壁とに跨る部分に接着剤Ａ１を塗布している以外は、図１の構成と同じである。
【００６２】
押え環１１をねじ込んで鏡胴１０に螺合させた後、押え環１１の、装着開口１１０を形成する結像側端面と、鏡胴外壁とに跨る部分に接着剤を塗布している。このときには、押え環１１の、装着開口１１０を形成する結像側端面と、鏡胴外壁とに跨る部分Ａ１から螺合部に向かって接着剤が浸透していくことが好ましい。これを実現させるためには、上記と同様に接着剤に低粘度のものを使用することが好ましく、その低粘度の粘性を持つ接着剤として常温で硬化するシリコン系接着剤や紫外線硬化や熱硬化するエポキシ系接着剤や瞬間接着剤等を使用することが考えられる。
【００６３】
なお図６の構成においては接着剤をネジ部にまで浸透させずに鏡胴外壁とに跨る部分のみで硬化させて押え環と鏡胴との間隙を封止する構成にしても相応の効果が得られる。このときには、上記の場合よりも高い粘度のものを使用することができ、その粘度は、好ましくは１００００００ｍＰａ以下であって、より好ましくは３００００ｍＰａ以下であれば良い。
【００６４】
図７は、図６のレンズ組立体の組立方法を説明する図である。
【００６５】
まず最初の光学部材装入ステップＳ７０１で、複数の光学部材Ｌ１〜Ｌ４、ＳＰ１〜ＳＰ３を鏡胴１０内に装入する。次の押え環装着ステップＳ７０２で、雄ネジと雌ネジとを螺合させてレンズＬ１を押え環１１で押える。最後に、接着剤注入ステップＳ７０３で、押え環１１の、装着開口１１０を形成する結像側端面と、鏡胴外壁とに跨る部分Ａ１に接着剤を塗布する。
【００６６】
このように押え環１１に接着剤塗布ステップで、押え環１１の、装着開口１１０を形成する結像側端面と、鏡胴外壁とに跨る部分に接着剤を塗布するという作業を最後に行なってその接着剤の硬化によりセラミックの粉塵を螺合部に閉じ込めて固定することで、車載用のカメラにこのレンズ組立体が用いられたときの光学性能の劣化を防止することができるようになる。
【００６７】
この組立方法における接着剤注入ステップＳ７０３の作業は、非常に簡単であって、熟練を要する訳でも時間を要する訳でもないので製造コストをさほど増大させることがない。
【００６８】
以上説明した様に、セラミック製の鏡胴が用いられた場合の光学性能の劣化を防止することができる構造を持つレンズ組立体、そのレンズ組立体の組立方法が実現する。
【００６９】
最後に第１実施形態を示す図２の構成のレンズ組立体、あるいは第２実施形態を示す図４のレンズ組立体、あるいは第３実施形態を示すレンズ組立体を示す図６のレンズ組立体のうちのいずれかのレンズ組立体が備えられたカメラの構成を説明しておく。
【００７０】
図８は、図２のレンズ組立体を備えたカメラユニット２を示す図である。
【００７１】
図８には、カメラユニット２を光軸に沿って切断した面が示されている。
【００７２】
図８に示すカメラユニット２は、図２のレンズ組立体１Ａと、カメラ本体枠２０と、撮像素子２１とを備えており、その撮像素子２１は撮像素子基板２１０上に実装されカメラ本体枠２０に接着固定されている。この図２のレンズ組立体１Ａのレンズ枠１０の外周面およびカメラ本体枠２０の内周面には、それぞれ、ネジ部が形成されている。
【００７３】
このカメラユニット２を組み立てるときには、まずカメラ本体枠２０に図２のレンズ組立体１Ａをねじ込みながら挿入した後、レンズ組立体１Ａをカメラ本体枠２０に接着固定する。そしてＣＣＤ固体撮像素子等の撮像素子２１を搭載した基板２１０をカメラ本体枠２０に接着固定する。このような簡単な手順で図１のレンズ組立体１Ａを車載用のカメラユニット２に組み込むことが可能となる。
【００７４】
このようにレンズ組立体をカメラユニットに簡単に組み込むことができると、カメラユニットのコストダウンをも図ることが可能となる。
【図面の簡単な説明】
【００７５】
【図１】セラミック製の鏡胴を備えたレンズ組立体の構成を示す図である。
【図２】本実施形態のレンズ組立体の構成を示す図である。
【図３】図２のレンズ組立体の組立方法を説明する工程図である。
【図４】第２実施形態を説明する図である。
【図５】図４のレンズ組立体の組立方法を説明する図である。
【図６】第３実施形態を説明する図である。
【図７】図６のレンズ組立体の組立方法を説明する図である。
【図８】図２のレンズ組立体を備えたカメラユニット２を示す図である。
【符号の説明】
【００７６】
１  １Ａ  １Ｂ  １Ｃ    レンズ組立体
１０    鏡胴
１００    中空部
１０１    対物側開口
１０２    結像側開口
１１    １１Ｂ  押え環
１１０  装着開口
１１１  光学開口
１１２    注入口
Ｌ１〜Ｌ４    レンズ
ＳＰ１〜ＳＰ３    間隔環
ＳＲ１  雄ネジ
ＳＲ２  雌ネジ
【図１】
2010085720.tif 000003
【図２】
2010085720.tif 000004
【図３】
2010085720.tif 000005
【図４】
2010085720.tif 000006
【図５】
2010085720.tif 000007
【図６】
2010085720.tif 000008
【図７】
2010085720.tif 000009
【図８】
2010085720.tif 000010